(57)【要約】【課題】音のチューニングの容易化および適切化を図る。【解決手段】バスレフダクト５３が止ねじ６０で前扉内装体４８の前面から前側に突出するように前扉内装体４８の前面に取り付けられ、前扉外装体４７と前扉内装体４８とが互いに組み立てられた場合、外側窓４９と内側窓５２とが互いに前後方向で同軸状に連なって前扉４の窓を構成し、バスレフダクト５３のバスレフ出口５５の設けられた前部がダクト逃避孔５０を経由して前扉外装体４７よりも前側に突出し、バスレフダクト５３がバスレフ入口５４から入った音をバスレフ出口５５に出すように空気の振動による音の伝達路を形成し、バスレフダクト５３が交換されることによって、音のチューニングが容易かつ適切に行える。【選択図】図１
2008036285.tif 000002
【特許請求の範囲】
【請求項１】
遊技機枠の前扉は前後方向に貫通する窓とバスレフダクトおよび窓を裏側から塞ぐパネル構造体とを備え、バスレフダクトが前扉と別体として形成されて前扉に取り付けられ、パネル構造体は窓側の前面パネルと後側の後面パネルとを前後方向に離れて相対峙するようにフレームで支持して前面パネルと後面パネルとフレームとで囲まれた閉鎖空間を備え、フレームの後部には閉鎖空間に連なるスピーカ設置部が設けられ、フレームの前部には閉鎖空間に連なる音出口が設けられ、スピーカ設置部には低音スピーカがコーンを前側に向けてフレームの後側から取り付けられ、スピーカ設置部と閉鎖空間とバスレフダクトが低音スピーカから前側に放出された音を前扉の前側に放出する音の伝達路を形成したことを特徴とする遊技音響装置。
【請求項２】
請求項１に記載の前扉が前扉外装体と前扉内装体とを備え、前扉外装体は前後方向に貫通する外側窓と前後方向に貫通するダクト逃避孔とを備え、前扉内装体は前後方向に貫通する内側窓とバスレフダクトと前後方向に貫通するバスレフ入口とを備え、バスレフダクトの前部にはバスレフ出口が設けられ、バスレフダクトはバスレフ入口から入った音をバスレフ出口に出すように空気の振動による音の伝達路を形成し、前扉外装体と前扉内装体とが互いに組み立てられた場合、外側窓と内側窓とが互いに前後方向で同軸状に連なって前扉の窓を構成し、バスレフダクトのバスレフ出口の設けられた前部がダクト逃避孔を経由して前扉外装体よりも前側に突出したことを特徴とする遊技音響装置。
【発明の詳細な説明】
【技術分野】
【０００１】
本発明は、音のチューニングが容易かつ適切に行える遊技音響装置に関する。
【背景技術】
【０００２】
遊技音響装置には、次のような構造のものが知られている。その１つは、遊技機枠の裏側にスピーカとエンクロージャとが一体になったスピーカ構造体を設け、エンクロージャの音をパイプで遊技機枠の前側に誘導して放出するようにした構造であるが、この場合、スピーカ構造体のほかにパイプが必要で、構造が複雑になるという欠点がある。もう１つは、前扉のガラスを振動板として利用した構造であるが、この場合、ガラスの共振周波数が数百ヘルツであるため、低音再生用として使用するには適切でないという欠点がある。さらにもう１つは、圧電式のスピーカを前扉のガラスに接触した構造であるが、この場合、ガラスの共振周波数が数百ヘルツであるため、低音再生用として使用するには適切でないという欠点がある。最後の１つは、圧電式のスピーカを前扉に貼り付けた構造であるが、この場合、ガラスの共振周波数が数百ヘルツであるため、低音再生用として使用するには適切でないという欠点がある。
【特許文献１】特開２００４−２２９１８３号公報
【特許文献２】特開平７−８６０１号公報
【特許文献３】特開平１０−２１６３２５号公報
【特許文献４】特開２００３−１３５８０４号公報
【発明の開示】
【発明が解決しようとする課題】
【０００３】
発明が解決しようとする問題点は、音による遊技の演出が遊技機枠の前側に適切に提供できないという点である。
【課題を解決するための手段】
【０００４】
本発明に係る遊技音響装置は、遊技機枠の前扉は前後方向に貫通する窓とバスレフダクトおよび窓を裏側から塞ぐパネル構造体とを備え、バスレフダクトが前扉と別物として形成されて前扉に取り付けられ、パネル構造体は窓側の前面パネルと後側の後面パネルとを前後方向に離れて相対峙するようにフレームで支持して前面パネルと後面パネルとフレームとで囲まれた閉鎖空間を備え、フレームの後部には閉鎖空間に連なるスピーカ設置部が設けられ、フレームの前部には閉鎖空間に連なる音出口が設けられ、スピーカ設置部には低音スピーカがコーンを前側に向けてフレームの後側から取り付けられ、スピーカ設置部と閉鎖空間とバスレフダクトが低音スピーカから前側に放出された音を前扉の前側に放出する音の伝達路を形成したことを最も主要な特徴とする。前扉が前扉外装体と前扉内装体とを備え、前扉外装体は前後方向に貫通する外側窓と前後方向に貫通するダクト逃避孔とを備え、前扉内装体は前後方向に貫通する内側窓とバスレフダクトと前後方向に貫通するバスレフ入口とを備え、バスレフダクトの前部にはバスレフ出口が設けられ、バスレフダクトはバスレフ入口から入った音をバスレフ出口に出すように空気の振動による音の伝達路を形成し、前扉外装体と前扉内装体とが互いに組み立てられた場合、外側窓と内側窓とが互いに前後方向で同軸状に連なって前扉の窓を構成し、バスレフダクトのバスレフ出口の設けられた前部がダクト逃避孔を経由して前扉外装体よりも前側に突出してもよい。
【発明の効果】
【０００５】
本発明に係る遊技音響装置は、パネル構造体の前面パネルと後面パネルおよびフレームで囲まれた閉鎖空間がエンクロージャを構成し、バスレフダクトが前扉やパネル構造体と別物として形成されて前扉に設けられたので、バスレフダクトを交換することによって、音のチューニングが容易かつ適切に行えるようにエンクロージャの容積とバスレフダクトの容積とを別々に設定することができるという利点がある。前扉が前扉外装体と前扉内装体とを備え、前扉外装体は前後方向に貫通する外側窓と前後方向に貫通するダクト逃避孔とを備え、前扉内装体は前後方向に貫通する内側窓とバスレフダクトと前後方向に貫通するバスレフ入口とを備え、バスレフダクトの前部にはバスレフ出口が設けられ、バスレフダクトはバスレフ入口から入った音をバスレフ出口に出すように空気の振動による音の伝達路を形成し、前扉外装体と前扉内装体とが互いに組み立てられた場合、外側窓と内側窓とが互いに前後方向で同軸状に連なって前扉の窓を構成し、バスレフダクトのバスレフ出口の設けられた前部がダクト逃避孔を経由して前扉外装体よりも前側に突出すれば、バスレフダクトが前扉に前扉の剛性を確保しつつ設けられるという利点がある。
【発明を実施するための最良の形態】
【０００６】
図１乃至図７は、発明を実施するための最良の形態である。図１は、前扉４およびパネル構造体２７を分解して示す。図２は、前扉内装体４８およびバスレフダクト５３を示す。図３は、パチンコ遊技機の遊技機枠１および遊技盤３６を分解して示す。図４は、パチンコ遊技機の正面を示す。図５は、パネル構造体２７のスピーカ取付部分を分解して示す。図６は、遊技機枠１に設けられた遊技音響装置を図４に示すＡ−Ａ線に沿い切断した断面を示す。図７は、バスレフダクト５３の周りを図４に示すＢ−Ｂ線に沿い切断した断面を示す。本明細書において、「前」、「表」、「後」、「裏」、「左」、「右」、「上」、「下」の方向は、図３の状態に遊技機枠１および遊技盤３６を置いて矢印Ｓで示す前側から見た場合に特定される方向である。「前」および「表」は同じ方向である。「後」および「裏」は同じ方向である。
【０００７】
図１を参照し、前扉４の構造について説明する。前扉４は、前扉外装体４７および前扉内装体４８を備える。前扉外装体４７は、前扉４の前面意匠を形成するように、前壁と前壁の周縁部から後側に突出する周壁とからなる後側に開口した箱形に構成されたものであって、外側窓４９とダクト逃避孔５０および証紙表示部５１を備える。外側窓４９は、前後方向に貫通孔として、前扉外装体４７の前壁の中央部に設けられる。ダクト逃避孔５０は、前後方向に貫通孔として、前扉外装体４７の前壁の左下部に設けられる。証紙表示部５１は、前扉４の前側から後側を透視できる部材で覆われた透視部分として、前扉外装体４７の前壁の右下部に設けられる。
【０００８】
前扉内装体４８は、前扉４の部品取付骨格を形成するように、後壁と後壁の周縁部から前側に突出する周壁とからなる前側に開口した箱形に構成されたものであって、内側窓５２とバスレフダクト５３とバスレフ入口５４とバスレフ出口５５および証紙窓５６を備える。内側窓５２は、前後方向に貫通孔として、前扉内装体４８の後壁の中央部に設けられる。バスレフダクト５３は、前扉内装体４８の後壁から前側に突出し、前扉内装体４８の後壁の左下部に設けられる。バスレフダクト５３が前扉内装体４８に設けられる構造については、図２で後述する。バスレフ入口５４は、前後方向への貫通孔として、バスレフダクト５３で覆われた前扉内装体４８の後壁に設けられる。バスレフ出口５５は、前後方向への貫通孔として、バスレフダクト５３の前部に設けられる。バスレフ入口５４が右側で、バスレフ出口５５が左側というように、バスレフ入口５４およびバスレフ出口５５は互いに位置が左右にずれている。バスレフダクト５３は、バスレフ入口５４から入った音をバスレフ出口５５に出すように、空気の振動による音の伝達路Ｒ（図６参照）を形成する。証紙窓５６は、前後方向への貫通孔として、前扉内装体４８の後壁の右下部に設けられる。
【０００９】
前扉外装体４７の後側の開口と前扉内装体４８の前側の開口とが互いに向かい合わされ、前扉内装体４８の周壁が前扉外装体４７の周壁で囲まれた空間に前扉外装体４７の後側から挿入されることによって、外側窓４９と内側窓５２とが互いに前後方向で同軸状に連なる窓２４（図３参照）を構成し、バスレフダクト５３の前部がダクト逃避孔５０を経由して前扉外装体４７の前壁よりも前側に突出し、証紙窓５６が証紙表示部５１と対向する。そして、図外の止ねじが前扉内装体４８の後側から前扉内装体４８の図外の取付孔を経由して前扉外装体４７に締結されることによって、前扉外装体４７および前扉内装体４８が互いに結合されて前扉４を構成する。図１では図示を省いたが、前扉外装体４７には、前扉４を可動枠３（図３参照）に開閉可能に取り付けるためのヒンジ、パネル構造体２７を前扉４に開閉可能に取り付けるためのヒンジが設けられる。
【００１０】
パネル構造体２７は、低音スピーカ３０、フレーム６１、透視開口部６２、前面パネル６３、後面パネル６４、音出口６５、ヒンジ６６、掛止受止部６７を備える。低音スピーカ３０は、フレーム６１の後面の左上部に設けられる。低音スピーカ３０がフレーム６１に取り付けられる構造は、図５で後述する。フレーム６１は、合成樹脂、アルミニウム合金またはマグネシウム合金などの軽金属により、透視開口部６２を囲む形状に構成される。前面パネル６３は、窓２４（図３参照）の裏側に配置されかつ窓２４を塞ぐ大きさのガラス板により構成される。後面パネル６４は、前面パネル６３の後側に配置されかつ窓２４を塞ぐ大きさのガラス板により構成される。前面パネル６３が透視開口部６２を塞ぐようにフレーム６１の前部に固定され、後面パネル６４が透視開口部６２を塞ぐようにフレーム６１の後部に固定されることによって、前面パネル６３と後面パネル６４およびフレーム６１で囲まれた閉鎖空間Ｄ（図６参照）が形成される。音出口６５は、閉鎖空間Ｄに繋がってフレーム６１の前部に開口する孔として、フレーム６１の左下部に設けられる。低音スピーカ３０の前側に放出された音は、閉鎖空間Ｄから音出口６５を経由してパネル構造体２７の前側に放出される。
【００１１】
ヒンジ６６は、フレーム６１の左側部に上下に分かれて設けられる。掛止受止部６７は、フレーム６１の右側部に上下に分かれて設けられる。ヒンジ６６が、前扉４の前扉内装体４８に設けられた図外のヒンジに上方から嵌め込まれることによって、パネル構造体２７が前扉４の裏面に取り付けられる。ヒンジ６６と図外のヒンジとが図３のヒンジ２９を構成する。そして、図３に示すように、パネル構造体２７がヒンジ２９を中心として前扉４の裏側に閉じられ、掛止部材２８が遊技店の店員によって操作されて掛止受止部６７の裏面に掛け止められ、パネル構造体２７が前扉４の裏面に開閉不能に支持されると、パネル構造体２７が窓２４を裏側から塞ぎ、前面パネル６３が窓２４と透視開口部６２との間に配置され、窓２４と透視開口部６２とが互いに対向し、低音スピーカ３０の前側が前扉４で覆い隠される。パネル構造体２７が前扉４の裏面に開閉不能に支持された場合、音出口６５がバスレフ入口５４に繋がる。よって、音スピーカ３０の前側に放出された音は、閉鎖空間Ｄから音出口６５とバスレフ入口５４とバスレフダクト５３の内部における音の伝達路Ｒおよびバスレフ出口５５を経由して前扉４の左下部から前側に放出される。
【００１２】
パネル構造体２７のフレーム６１と前面パネル６３および後面パネル６４で囲まれた閉鎖空間Ｄがエンクロージャを構成し、バスレフダクト５３がパネル構造体２７と別物として前扉４に設けられたので、音のチューニングが容易かつ適切に行えるようにエンクロージャの容積とバスレフダクトにおける音の伝達路Ｒの容積とを別々に設定することができるという利点がある。
【００１３】
前扉４が前扉外装体４７と前扉内装体４８とを備え、前扉外装体４７が外側窓４９とダクト逃避孔５０とを備え、前扉内装体４８が内側窓５２とバスレフダクト５３とバスレフ入口５４とを備え、バスレフダクト５３の前部にはバスレフ出口５５が設けられ、バスレフダクト５３はバスレフ入口５４から入った音をバスレフ出口５５に出すように空気の振動による音の伝達路Ｒを形成し、前扉外装体４７と前扉内装体４８とが互いに組み立てられた場合、外側窓４９と内側窓５２とが互いに前後方向で同軸状に連なって前扉４の窓２４を構成し、バスレフダクト５３のバスレフ出口５５の設けられた前部がダクト逃避孔５０を経由して前扉外装体４７よりも前側に突出しているので、バスレフダクト５３が前扉４に前扉４の剛性を確保しつつ設けられるという利点がある。前扉外装体４７と前扉内装体４８とが互いに組み立てられた場合、図２のｂ図に示す止ねじ６０が前扉外装体４７で覆い隠されるという利点がある。
【００１４】
図２を参照し、バスレフダクト５３が前扉内装体４８に設けられる構造について説明する。図２のａ図において、前扉内装体４８およびバスレフダクト５３は、互いに別々に形成される。前扉内装体４８には、リブ５７が、前扉内装体４８の前面から前側に突出し、バスレフダクト５３の前側の開口と対応する開口を囲む環状として設けられる。前扉内装体４８におけるリブ５７で囲まれた部分には、バスレフ入口５４が設けられる。前扉内装体４８におけるリブ５７の周囲には、ダクト取付部５８が、前扉内装体４８の前面から前側に突出する筒状として設けられる。バスレフダクト５３は、リブ５７で囲まれる開口と対向する前側の開口を有する箱形である。バスレフダクト５３には、取付足５９がバスレフダクト５３から外側に突出するように設けられる。
【００１５】
そして、バスレフダクト５３の前側の開口が前扉内装体４８の前面の側に向けられ、バスレフダクト５３の前側の開口を囲む周縁部がリブ５７の前面に重ね合わされ、取付足５９がダクト取付部５８に重ね合わされた状態において、止ねじ６０が取付足５９に形成された貫通孔を経由してダクト取付部５８に締結される。これによって、図２のｂ図に示すように、バスレフダクト５３が前扉内装体４８の前面から前側に突出するように前扉内装体４８の前面に取り付けられる。バスレフダクト５３が前扉内装体４８と別物として形成されて前扉内装体４８に取り付けられているので、バスレフダクト５３を交換することによって、音のチューニングが容易かつ適切に行えるという利点がある。
【００１６】
図３を参照し、パチンコ遊技機の構造について説明する。遊技機枠１は、固定枠２の前側に可動枠３を開閉可能に備え、可動枠３の前側に前扉４および皿構造体５を開閉可能に備える。固定枠２は、遊技機設置設備に固定される外枠とも呼ばれる。遊技機設置設備は、パチンコ遊技機を設置する遊技店の島と呼ばれる設備である。可動枠３は、遊技盤３６や図外の制御装置など遊技に必要な部品を取り付ける前枠とも呼ばれる。可動枠３は、左側に位置するヒンジ６を中心とし、固定枠２の前側で前側に開かれかつ後側に閉じられるように、片開き可能であって、盤収容部７、中央開口部８、盤後側押出部９、盤前側受止部１０、盤掛止操作体１１、盤棚１２、球発射機構１３、球発射レール１４、戻り球取入口１５、前横樋１６、機外排出樋１７、施錠装置１８、掛止機構１９；２０；２１および掛止解除操作体２２が設けられる。盤収容部７は、遊技盤３６を可動枠３の前側から格納させるように、前側に開口した方形な箱形である。中央開口部８は、盤収容部７の背壁に、前後方向への貫通孔として形成される。
【００１７】
盤後側押出部９は、遊技盤３６を前側に押す板ばねのような弾性体である。盤前側受止部１０は、盤後側押出部９で前側に押された遊技盤３６を受け止める突起である。盤後側押出部９が後側で盤前側受止部１０が前側となるように、盤後側押出部９および盤前側受止部１０が盤収容部７の左側部に設けられる。盤掛止操作体１１は、盤収容部７の背壁から前側に突出し、盤収容部７の背壁と平行な方向に回転可能に、盤収容部７の右側部に設けられる。盤棚１２は、遊技盤３６を搭載する左右方向に平坦な面として、盤収容部７の下縁部により形成される。球発射機構１３、球発射レール１４、戻り球取入口１５、前横樋１６は、盤棚１２から下側に延設された前壁の前面に設けられる。機外排出樋１７は、盤棚１２から下側に延設された前壁の裏面に設けられる。施錠装置１８、掛止機構１９；２０；２１、掛止解除操作体２２は、可動枠３の右側部に設けられる。
【００１８】
前扉４および皿構造体５は、個別に、左側に位置するヒンジ２３を中心とし、可動枠３の前側で前側に開かれかつ後側に閉じられるように、片開き可能である。前扉４は、パネル枠とも呼ばれ、前後方向に貫通する窓２４を囲む額縁形状である。前扉４の裏面には、パネル構造体２７および掛止部材２８が設けられる。パネル構造体２７は、左側に位置するヒンジ２９を中心とし、前扉４の裏側で裏側に開かれかつ前側に閉じられるように、片開き可能である。パネル構造体２７が閉じられて前扉４に掛止部材２８で開閉不能に支持されると、パネル構造体２７が窓２４を裏側から塞ぐ。パネル構造体２７には、低音スピーカ３０が設けられる。
【００１９】
皿構造体５の前面には、受皿部３１および発射操作機構３２が設けられる。皿構造体５の裏面には、球取入口３３および球供給口３４が設けられる。皿構造体５が閉じられた場合、球発射機構１３と球発射レール１４と戻り球取入口１５および前横樋１６が、皿構造体５で覆い隠される。可動枠３が閉じられて固定枠２に掛止機構１９で開閉不能に支持され、前扉４および皿構造体５が閉じられて可動枠３に掛止機構２０；２１で開閉不能に支持された状態において、遊技店の店員が図外のキープレート（鍵）を遊技機枠１の前側から施錠装置１８の鍵穴に挿入し、当該キープレートを例えば右側に９０度回転操作すると、固定枠２と可動枠３との掛止機構１９による支持形態が解除される。この支持形態の解除後に、遊技店の店員が可動枠３を前側に引くことによって、可動枠３はヒンジ６を中心として前側に片開きされる。また、上記施錠装置１８の鍵穴に挿入されたキープレートが例えば左側に９０度回転操作されると、可動枠３と前扉４との掛止機構２０による支持形態が解除される。この支持形態の解除後に、遊技店の店員が前扉４を前側に引くことによって、前扉４はヒンジ２３を中心として前側に片開きされる。
【００２０】
遊技盤３６の遊技領域は、遊技盤３６の前面の内ガイドレール３７および外ガイドレール３８で囲まれた内側の部分であって、遊技機枠１の前側から窓２４およびパネル構造体２７を経由して視認される。遊技領域には、入賞部品３９、センター飾り４０、アウト口４１、発射通路４２、図外の遊技釘その他遊技部品が設けられる。発射通路４２は、内ガイドレール３７の左側部と外ガイドレール３８の左側部との間の隙間によって形成される。入賞部品３９は、一般入賞部品、始動入賞部品、可変入賞部品などである。その他遊技部品とは、風車、サイドランプ、フィギャー、キャラクター、保留数表示器などである。遊技盤３６の右側部には、取付部４３が上下に分かれて設けられる。取付部４３には、取付孔４４が前後方向への貫通孔として設けられる。下部の取付部４３は、遊技盤３６の前面に設けられた証紙台４５が閉じられると、証紙台４５で覆い隠される。遊技盤３６の左上隅部が除去されてスピーカ逃避部４６を構成する。
【００２１】
そして、前扉４が少なくとも前側に開かれた状態において、遊技盤３６の左側部が可動枠３の前側から盤後側押出部９と盤前側受止部１０との間に挿入され、遊技盤３６の右側部が遊技店の店員によって前側から後側に押され、盤掛止操作体１１が遊技盤３６の裏側から取付孔４４に挿入され、遊技店の店員が遊技盤３６の前側に突出した盤掛止操作体１１を例えば９０度回転操作することによって、盤掛止操作体１１が遊技盤３６の前面に掛け止められ、遊技盤３６の遊技領域が前側に向けられ、遊技盤３６が可動枠３の内部における盤収容部７に装着される。そして、前扉４が閉じられた場合、低音スピーカ３０の後部が遊技盤３６の前側からスピーカ逃避部４６を経由して遊技盤３６の裏側に突出する。閉じられた前扉４が可動枠３に掛止機構２０で開閉不能に支持されることによって、遊技盤３６の遊技領域が遊技機枠１の窓２４およびパネル構造体２７を通して見える形態となる。その後、遊技店の店員がキープレートを施錠装置１８の鍵穴から前側に抜き取る。
【００２２】
図４を参照し、前扉４および皿構造体５が閉じられた遊技機枠１の正面の構造について説明する。前扉４の前面には、バスレフダクト５３が窓２４よりも下部で左に設けられ、証紙表示部５１が窓２４よりも下部で右に設けられる。そして、図外の制御装置が電力供給を受けて起動し、パチンコ球と呼ばれる球が受皿部３１に入れられ、遊技者が発射操作機構３２を操作し、発射操作機構３２から操作量に相当する電気的な出力が制御装置に入力され、制御装置が球発射機構１３を駆動すると、球発射機構１３が受皿部３１から球供給口３４（図３参照）を経由して球発射レール１４（図３参照）に供給された球を１個ずつ発射操作機構３２による操作量に応じた機械的な出力で遊技盤３６の遊技領域に向けて発射する。遊技領域に発射された球が入賞部品３９（図３参照）に入賞し、図外の球検出器が入賞部品３９に入賞した球を検出した入賞信号を制御装置に出力し、制御装置が入賞信号に基づき低音スピーカ３０を駆動すると、低音が前扉４の下部におけるバスレフダクト５３から前側に放出される。
【００２３】
図５を参照し、フレーム６１の低音スピーカ３０を取り付ける部分の構造について説明する。スピーカ設置部６８の内部には、スピーカ取付部６９が設けられる。スピーカ設置部６８の外部には、後カバー取付部７０が設けられる。低音スピーカ３０は、円錐形なコーン７１の後部に音響変換部７２を備え、コーン７１の前縁部から外側にフランジ７３を突出し、フランジ７３に複数のねじ挿入孔７４を備え、音響変換部７２が音響変換部７２から外側に突出した被覆電線からなる引出線７５より入力された信号を機械的な振動に変換してコーン７１に伝達し、コーン７１が伝達された振動を低音波として拡大して放出する。引出線７５にはコネクタ７６が設けられる。そして、コーン７１が前側に向けられるように、低音スピーカ３０がフレーム６１の後側からスピーカ設置部６８に配置された場合、コーン７１および音響変換部７２がスピーカ設置部６８に接触せず、フランジ７３の前面がスピーカ取付部６９の裏面に接触する。そして、タッピングスクリューのような止ねじ７７が低音スピーカ３０の後側からねじ挿入孔７４を経由してスピーカ取付部６９に締結される。これによって、低音スピーカ３０が、スピーカ設置部６８から裏側に突出するように、スピーカ設置部６８に取り付けられる。
【００２４】
低音スピーカ３０には、スピーカ後カバー７８が被せられる。スピーカ後カバー７８は、前側に開口した箱形である。スピーカ後カバー７８の前側開口の周縁部には、取付部としてのねじ挿入孔７９が設けられる。スピーカ後カバー７８の後壁には、多数の貫通孔からなる放音孔部８０が設けられる。スピーカ後カバー７８が低音スピーカ３０に被せられる場合、コネクタ７６がスピーカ後カバー７８の前側から放音孔部８０を構成する１つの貫通孔に挿入されてスピーカ後カバー７８の後側に引き出されることによって、引出線７５がスピーカ後カバー７８の後壁に貫通させられる。そして、スピーカ後カバー７８が低音スピーカ３０の後側から低音スピーカ３０に被せられ、スピーカ後カバー７８の前側開口の周縁部がスピーカ設置部６８の裏面に接触され、タッピングスクリューのような止ねじ８１がスピーカ後カバー７８の後側からねじ挿入孔７９を経由して後カバー取付部７０に締結される。これによって、スピーカ後カバー７８がスピーカ設置部６８に取り付けられる。
【００２５】
図６および図７を参照し、低音スピーカ３０の音の伝わり方について説明する。図６において、低音スピーカ３０のコーン７１から前側に放出された音は、空気の振動による音の矢印Ｘ１で示す伝達路により、スピーカ設置部６８の前側から、閉鎖空間Ｄ、音出口６５、バスレフ入口５４、バスレフダクト５３、バスレフ出口５５（図７参照）を順に経由し、前扉４の左下部から前側に放出される。低音スピーカ３０のコーン７１から後側に放出された音は、空気の振動による音の矢印Ｘ２で示す伝達路により、スピーカ設置部６８の後側から、スピーカ後カバー７８、放音孔部８０、スピーカ逃避部４６を順に経由し、遊技盤３６の裏側に放出される。つまり、低音が低音スピーカ３０から閉鎖空間Ｄをエンクロージャとして利用し、バスレフ入口５４とバスレフダクト５３およびバスレフ出口５５を経由して前扉４の左下部から前側に放出される。前扉４から前側に放出される低音による遊技の演出が遊技機枠１の前側で遊技を行う遊技者に適切に提供されるという利点がある。低音スピーカ３０の後側に放出される低音は、遊技機枠１の上部後側に放出されるので、前扉４の下部前側に放出される低音と打ち消しあうように干渉する不都合はないという利点がある。パネル構造体２７および遊技盤３６との間の隙間８２は、遊技盤３６の遊技領域に発射された球Ｐが流下する空間である。
【００２６】
図７において、バスレフ入口５４およびバスレフ出口５５が互いに位置を左右にずらして設けられているので、バスレフダクト５３の伝達路Ｒを適切な左右方向の長さに形成することができるという利点がある。
【産業上の利用可能性】
【００２７】
低音スピーカ３０の設置される場所は、パネル構造体２７の左上部に限定されるものではなく、パネル構造体２７の中央上部または右上部でもよい。バスレフダクト５３は、交換不能となるものの、止ねじ６０のような固着具を使用することなく、接着剤で前扉内装体４８に取り付けてもよい。
【図面の簡単な説明】
【００２８】
【図１】パネル構造体の後側の分解斜視図（最良の形態）。
【図２】ａ図は前扉内装体およびバスレフダクトの分解斜視図、ｂ図は前扉内装体およびバスレフダクトの組立斜視図（最良の形態）。
【図３】パチンコ遊技機の分解斜視図（最良の形態）。
【図４】パチンコ遊技機の正面図（最良の形態）。
【図５】スピーカ取付部分の後側の分解斜視図（最良の形態）。
【図６】図４のＡ−Ａ縦断面図（最良の形態）。
【図７】図４のＢ−Ｂ縦断面図（最良の形態）。
【符号の説明】
【００２９】
１    遊技機枠
４    前扉
２４  窓
２７  パネル構造体
３０  低音スピーカ
３６  遊技盤
４７  前扉外装体
４８  前扉内装体
４９  外側窓
５０  ダクト逃避孔
５２  内側窓
５３  バスレフダクト
５４  バスレフ入口
５５  バスレフ出口
６１  フレーム
６３  前面パネル
６４  後面パネル
６５  音出口
６８  スピーカ設置部
Ｄ    閉鎖空間
【図１】
2008036285.tif 000003
【図２】
2008036285.tif 000004
【図３】
2008036285.tif 000005
【図４】
2008036285.tif 000006
【図５】
2008036285.tif 000007
【図６】
2008036285.tif 000008
【図７】
2008036285.tif 000009